(57)【要約】【課題】レンズに歪を発生させず、さらにレンズ内部の残存応力による複屈折の影響をも生じさせずに、レンズをレンズ保持枠にかしめにより固定保持し得る方法を提供する。【解決手段】  レンズ１０４に対して、レンズ１０４の外径より内側かつレンズ１０４の前面１０５の有効径より外側の位置となるレンズ光軸を中心とした円周上に新たに縁１０８を設け、縁１０８から外径までの側面をレンズ圧着部１１０としている。レンズ１０４をレンズ保持枠１０１のレンズ落とし込み孔１０３に落とし込み、レンズ１０４の片側をレンズ保持枠１０１のレンズ受け部１０２で受け止める。レンズ保持枠１０１に設けたかしめ押圧部１０９に右斜め上方向から力を加え、かしめ押圧部１０９を変形させてレンズ１０４に設けたレンズ圧着部１１０に圧着させる。その結果、レンズ１０４がかしめによりレンズ保持枠１０１に固定保持される。【選択図】      図１Ａ
2005107214.tif 000002
【特許請求の範囲】
【請求項１】
レンズをレンズ保持枠にかしめにより固定保持するレンズ固定保持方法であり、
レンズの外周にレンズ圧着部を設け、
レンズをレンズ保持枠に落とし込み、
レンズの片側をレンズ保持枠のレンズ受け部で受け止め、
レンズ保持枠のかしめ押圧部を変形させてレンズ圧着部に圧着して、レンズをレンズ保持枠に固定保持するレンズ固定保持方法。
【請求項２】
レンズの外径より内側かつレンズの面の有効径より外側の位置となる光軸を中心とした円周上に縁を設け、縁から外径までの側面の少なくとも一部をレンズ圧着部とする、請求項１に記載のレンズ固定保持方法。
【請求項３】
レンズの外周に溝を設け、溝の側面の少なくとも一部をレンズ圧着部とする、請求項１に記載のレンズ固定保持方法。
【請求項４】
レンズ圧着部はレンズ光軸側に向けられた傾斜を持っている、請求項１ないし請求項３のいずれかひとつに記載のレンズ固定保持方法。
【請求項５】
レンズ保持枠のレンズ受け部で受け止められるレンズの片側の面は、レンズ光軸に垂直な平面である、請求項１ないし請求項３のいずれかひとつに記載のレンズ固定保持方法。
【請求項６】
レンズ外径による縁とレンズ保持枠の間にスペースを設ける、請求項１ないし請求項３のいずれかひとつに記載のレンズ固定保持方法。
【請求項７】
請求項２において、レンズの外径より内側かつレンズの面の有効径より外側の位置となる光軸を中心とした円周上に縁を設けるレンズ加工は、レンズ研磨を行なった後、芯取り工程のレンズ加工の中で同時に行なう、請求項２に記載のレンズ固定保持方法。
【請求項８】
請求項３において、レンズ外周に溝を設けるレンズ加工は、レンズ研磨を行なった後、芯取り工程のレンズ加工の中で同時に行なう、請求項３に記載のレンズ固定保持方法。
【請求項９】
請求項４において、レンズ光軸側に向けられた傾斜を持っているレンズ圧着部を設けるレンズ加工は、レンズ研磨を行なった後、芯取り工程のレンズ加工の中で同時に行なう、請求項４に記載のレンズ固定保持方法。
【請求項１０】
請求項５において、レンズ保持枠のレンズ受け部で受け止められるレンズの片側の面をレンズ光軸に垂直な平面にするレンズ加工は、レンズ研磨を行なった後、芯取り工程のレンズ加工の中で同時に行なう、レンズの固定保持方法。
【請求項１１】
レンズをレンズ保持枠にかしめにより固定保持するレンズ固定保持方法であり、
レンズをレンズ保持枠に落とし込み、
レンズの片側をレンズ保持枠のレンズ受け部で受け止め、
レンズ外径による縁とレンズ保持枠の間にスペースを持たせ、
レンズ保持枠のかしめ押圧部を変形させてレンズ圧着部に圧着して、レンズをレンズ保持枠に固定保持するレンズ固定保持方法。
【発明の詳細な説明】
【技術分野】
【０００１】
本発明は、レンズをレンズ保持枠に固定保持するレンズ固定保持方法に関する。
【背景技術】
【０００２】
従来から、レンズをレンズ保持枠に固定保持するレンズ固定保持方法には、主に、接着による固定保持方法と、かしめによる固定保持方法とがある。
【０００３】
接着による固定保持方法では、図９に示されるように、レンズ保持枠９０１に設けたレンズ落とし込み孔９０３にレンズ９０４を落とし込み、レンズ受け部９０２でレンズ９０４の片側の面（図９においては後面９０６）を受け止め、反対側（前面９０５側）のレンズ外径の縁９０７とレンズ保持枠９０１の先端部を接着剤９１３で固定保持する。
【０００４】
かしめによる固定保持方法では、図１０Ａと図１０Ｂに示されるように、レンズ保持枠１００１に設けたレンズ落とし込み孔１００３にレンズ１００４を落とし込み、レンズ受け部１００２でレンズ１００４の片側の面（図１０Ａと図１０Ｂにおいては後面１００６）を受け止め、さらにレンズ保持枠１００１のかしめ押圧部１００９に右斜め上方向から力を加え、かしめ押圧部１００９を変形させ、レンズ１００４の前面１００５側の外径から内側かつ前面１００５の有効径より外側に設けたレンズ圧着部１０１０にかしめ押圧部１００９を圧着することで固定保持する。
【発明の開示】
【発明が解決しようとする課題】
【０００５】
接着固定保持方法は、接着剤の滴下が多すぎた場合に、図９において、前面９０５に垂れ、レンズ性能に悪影響を及ぼす。また、接着剤９１３が硬化する際に引張り応力が発生し、この引張り応力によりレンズ９０４に歪が発する。歪により前面９０５または後面９０６の面形状が変化する。さらに、接着剤９１３が硬化する際に発生する引張り応力がレンズ９０４の内部に残存応力として蓄積され、残存応力からレンズ９０４内で複屈折が生じる。レンズ９０４は、面形状が変化し、複屈折が生じた状態で、レンズ保持枠９０１に固定保持される。特に、レンズ肉厚の薄いレンズには引張り応力の影響が大きく現れる。発生したレンズ面形状の変化と複屈折により、レンズの光学特性が変化する。また、このようなレンズを組込んだ光学システムにおいては性能が低下する。
【０００６】
さらに、紫外域の光を用いる光学システムに接着固定保持方法により固定保持されたレンズを組込んだ場合、必ずではないが、長時間光学システムを使用することにより、光学システムに組込まれたレンズ保持枠内で乱反射した紫外域の光が接着剤９１０を照射し続け、接着剤９１０が光学破壊され、レンズ９０４がレンズ保持枠９０１に固定保持できなくなることがある。その場合、レンズの偏心が生じ、さらにはレンズ９０４がレンズ保持枠９０１から離脱し、光学システムの性能が維持できない。
【０００７】
かしめ固定保持方法は、図１０Ａと図１０Ｂにおいて、レンズ保持枠１００１のかしめ押圧部１００９に右斜め上方向から力を加え、かしめ押圧部１００９を変形させ、レンズ１００４に設けたレンズ圧着部１０１０にかしめ押圧部１００９を圧着することで固定保持する。レンズ保持枠１００１の材質は、かしめ押圧部１００９に右斜め上方向から力を加えることにより、かしめ押圧部１００９を変形可能な金属などとする。このため、かしめ押圧部１００９を変形させるために押圧した力がレンズ圧着部１０１０ないしレンズ受け部１００２からレンズ１００４に伝わり、レンズ１００４に歪を発生させる。レンズ１００４は、歪により前面１００５または後面１００６の面形状が変化する。さらに、圧着後、レンズ１００４内部に蓄積された残存応力からレンズ１００４内で複屈折が生じる。レンズ１００４は面形状が変化し、複屈折が生じた状態で、レンズ保持枠１００１に固定保持される。特に、レンズ肉厚の薄いレンズにはかしめ押圧部１００９を変形させるために押圧した力の影響が大きく現れる。発生したレンズ面形状の変化と複屈折によりレンズの光学特性が変化する。また、このようなレンズを組込んだ光学システムにおいては性能が低下する。
【０００８】
特に、紫外域の光を用いる光学系に対しては、紫外域の光による接着剤の光学破壊を避けるため、接着剤を用いないかしめ固定保持方法を採用することが多い。しかしながら、従来のかしめ固定保持方法は、前述したレンズ歪による面形状の変化および残存応力による複屈折の発生によりレンズの光学特性を変化させてしまうという不具合を有している。
【０００９】
本発明は、このような実情を鑑みてなされたものであり、レンズに歪を発生させず、さらにレンズ内部の残存応力による複屈折の影響をも生じさせずに、レンズをレンズ保持枠にかしめにより短時間で容易に固定保持し得るレンズ固定保持方法を提供することを目的とする。
【課題を解決するための手段】
【００１０】
本発明のレンズ固定保持方法は、レンズの外周にレンズ圧着部を設け、レンズをレンズ保持枠に落とし込み、レンズの片側をレンズ保持枠のレンズ受け部で受け止め、レンズ保持枠のかしめ押圧部を変形させてレンズ圧着部に圧着して、レンズをレンズ保持枠に固定保持する。
【発明の効果】
【００１１】
本発明によれば、レンズに歪を発生させず、さらにレンズ内部の残存応力による複屈折の影響をも生じさせずに、レンズをレンズ保持枠にかしめにより固定保持し得るレンズ固定保持方法が提供される。
【発明を実施するための最良の形態】
【００１２】
以下、図面を参照しながら本発明の実施の形態について説明する。
【００１３】
第一実施形態
本実施形態は、前面後面とも凹面のレンズのレンズ保持枠への固定保持に向けられている。図１Ａは、本発明の第一実施形態においてレンズ保持枠にレンズが固定保持された状態の断面を示し、図１Ｂは、本発明の第一実施形態においてレンズ保持枠にレンズが固定保持される前の状態の断面を示している。
【００１４】
本実施形態においては、従来のかしめ固定保持によるレンズ固定保持方法におけるレンズ形状と以下の点を変更している。
【００１５】
レンズ１０４に対して、レンズ１０４の外径より内側かつレンズ１０４の前面１０５の有効径より外側の位置となるレンズ光軸を中心とした円周上に新たに縁１０８を設ける。つまり、レンズ１０４の外径による縁１０７よりも一回り小さい小径の縁１０８を設ける。新たに設けた縁１０８から外径までの側面の少なくとも一部をレンズ圧着部１１０としている。より詳しくは、縁１０８から外径までの側面をレンズ圧着部１１０としている。つまり、レンズ１０４の外周にレンズ圧着部１１０を設けている。ここでは、前述の「縁１０８から外径までの側面の少なくとも一部」は、縁１０８から外径までの側面の全体である。レンズ加工および圧着の容易性から新たに設けた縁１０８はレンズ光軸側に向けられた傾斜を持っている方が良い。傾斜を持たせることで圧着が容易になる。（加圧力を小さくでき、短時間でできる。）
レンズ圧着部１１０は、レンズの光軸１１４側に向けられた傾斜を持っている。つまり、レンズ圧着部１１０はレンズの光軸１１４に対して傾斜しており、さらにレンズ圧着部１１０に立てた法線は外側を向いている。レンズ圧着部１１０は、レンズの光軸１１４に直交していてもよい。
【００１６】
レンズ保持枠１０１は、レンズ１０４を落とし込むためのレンズ落とし込み孔１０３と、レンズ１０４の後面１０６を受けるレンズ受け部１０２と、レンズ圧着部１１０に圧着されるかしめ押圧部１０９を有している。
【００１７】
レンズ１０４のレンズ保持枠１０１への固定保持は次のように行なう。レンズ１０４をレンズ保持枠１０１のレンズ落とし込み孔１０３に落とし込み、レンズ１０４の片側をレンズ保持枠１０１のレンズ受け部１０２で受け止める。レンズ保持枠１０１に設けたかしめ押圧部１０９に右斜め上方向から力を加え、かしめ押圧部１０９を変形させてレンズ１０４に設けたレンズ圧着部１１０に圧着させる。その結果、レンズ１０４がかしめによりレンズ保持枠１０１に固定保持される。
【００１８】
レンズ保持枠１０１は、加圧することで形状変化し、一度変化した形状が無圧状態に戻しても維持される金属などからなる。かしめ押圧部１０９は変形し易くするため、薄く加工されている。レンズ圧着部が傾斜していることと、かしめ押圧部を薄く加工していることにより、レンズ保持枠１０１に設けたかしめ押圧部１０９を変形させレンズ１０４側に設けたレンズ圧着部１１０に圧着させるために、かしめ押圧部１０９に右斜め上方向から加える力が小さくてよく、容易に変形でき、短時間で、かしめ押圧部１０９をレンズ圧着部１１０に圧着することができる。
【００１９】
さらに、レンズ保持枠１０１に設けたかしめ押圧部１０９とレンズ１０４側に設けたレンズ圧着部１１０の位置をレンズ１０４の前面１０５より遠ざけた別の面にしている。つまり、レンズ１０４の外径による縁１０７とレンズ保持枠１０１の接する範囲が小さい。このため、レンズ保持枠１０１に設けたかしめ押圧部１０９に右斜め上方向から力を加え、かしめ押圧部１０９を変形させてレンズ圧着部１１０に圧着する際に、レンズ１０４の前面１０５にかしめ押圧の力が伝わることがなく、レンズ内部に応力の残存もない。またさらに、レンズ１０４の前面１０５にかしめ押圧の力がレンズ受け部１０２を作用点としてレンズ保持枠１０１を介して後面１０６に伝わるが、力点となるかしめ押圧部１０９と作用点となるレンズ受け部１０２とが接近しているため、てこの原理により後面１０６に伝わる力が弱まる。レンズ１０４の前面１０５および後面１０６はかしめ押圧の力がレンズ１０４に伝わらず、歪によるレンズ面形状の変化は発生しない。
【００２０】
レンズ１０４の内部に残存する応力も弱まり、外径による縁の周辺の光学性能に影響しない部分のみに残存し、レンズ１０４内部の光学性能に影響する光が通る範囲内に内部応力が残存することがない。したがって、内部残存応力により発生する複屈折の影響を受けない。
【００２１】
本実施形態では、後面１０６をレンズ受け部１０２で受けているが、前面１０５側で受ける様にし、図１Ａの下側にかしめ押し圧部を設けてもよく、この場合も、同様な効果が得られる。
【００２２】
本実施形態において、レンズの外径より内側かつレンズの面の有効径より外側の位置となる光軸を中心とした円周上に縁を設け、縁から外径までの側面の少なくとも一部をレンズ圧着部とするレンズ加工、また、レンズ圧着部をレンズ光軸側に向けられた傾斜を持たせるレンズ加工は、図１１に示されるレンズ加工処理工程の芯取り工程の中で同時に行なうとよい。
【００２３】
芯取り工程は、レンズ研磨、レンズ洗浄を行なった後の工程である。芯取り工程では、レンズ面の偏芯を無くし外径の寸法の精度を良くするため、レンズの光軸を中心に回転させ、レンズの外周部を削る加工を行なう。上記のレンズ加工を芯取り工程の中で同時に行なうことにより、光軸を中心にした位置決め、前面ないし後面の面頂からの位置決めが容易になり、加工精度が向上する。また、芯取り工程と同時に行なうことで、レンズを加工治具、加工機に取り付け直す必要がない。
【００２４】
第二実施形態
本実施形態は、第一実施形態と同様に、前面後面とも凹面のレンズのレンズ保持枠への固定保持に向けられている。言い換えれば、本実施形態では、第一実施形態の変形に向けられている。図２Ａは、本発明の第二実施形態においてレンズ保持枠にレンズが固定保持された状態の断面を示し、図２Ｂは、本発明の第二実施形態においてレンズ保持枠にレンズが固定保持される前の状態の断面を示している。
【００２５】
本実施形態では、レンズ２０４に対して、レンズ２０４の外径より内側かつレンズ２０４の前面２０５の有効径より外側の位置となるレンズ光軸を中心とした円周上に新たに縁２０８を設ける。つまり、レンズ２０４の外径による縁２０７よりも一回り小さい小径の縁２０８を設ける。縁２０８から外径までの側面の少なくとも一部をレンズ圧着部２１０としている。つまり、レンズ２０４の外周にレンズ圧着部２１０を設けている。
【００２６】
より詳しくは、縁２０８から外径までの側面は、レンズ２０４の光軸２１４に略垂直な平面部分２１５と、レンズ２０４の光軸２１４に対して傾斜している平面部分である面取り部２１６とを含んでおり、面取り部２１６をレンズ圧着部２１０としている。つまり、外径の面取り部２１６がある場合には、前述の「縁２０８から外径までの側面の少なくとも一部」は、面取り部２１６である。レンズ圧着部２１０は、レンズの光軸２１４側に向けられた傾斜を持っている。つまり、レンズ圧着部２１０はレンズの光軸２１４に対して傾斜しており、さらにレンズ圧着部２１０に立てた法線は外側を向いている。
【００２７】
レンズ保持枠２０１は、レンズ２０４を落とし込むためのレンズ落とし込み孔２０３と、レンズ２０４の後面２０６を受けるレンズ受け部２０２と、レンズ圧着部２１０に圧着されるかしめ押圧部２０９を有している。
【００２８】
本実施形態では、レンズ受け部２０２は、レンズ２０４の光軸２１４に垂直な平面となっている。また、レンズ受け部２０２で受け止められるレンズ２０４の面も、レンズ２０４の光軸２１４に垂直な平面となっている。
【００２９】
レンズ２０４のレンズ保持枠２０１への固定保持は次のように行なう。レンズ２０４をレンズ保持枠２０１のレンズ落とし込み孔２０３に落とし込み、レンズ２０４の片側をレンズ保持枠２０１のレンズ受け部２０２で受け止める。レンズ保持枠２０１に設けたかしめ押圧部２０９に右斜め上方向から力を加え、かしめ押圧部２０９を変形させてレンズ２０４に設けたレンズ圧着部２１０に圧着させる。その結果、レンズ２０４がかしめによりレンズ保持枠２０１に固定保持される。
【００３０】
かしめ押圧部２０９は、第一実施形態と同様、薄く加工されている。また、レンズ圧着部２１０は傾斜を持っている。このため、かしめ押圧部２０９を変形させてレンズ圧着部２１０に圧着させる際に、かしめ押圧部２０９に加える力が小さくてよい。レンズ圧着部が傾斜していることと、かしめ押圧部を薄く加工していることにより、かしめ押圧部２０９をレンズ圧着部２１０に短時間で圧着することができる。
【００３１】
レンズ圧着部２１０は、第一実施形態と同様、レンズ２０４の外周に位置している。従って、レンズ２０４の外径による縁２０７とレンズ保持枠２０１の接する範囲が小さい。このため、かしめ押圧部２０９を変形させてレンズ圧着部２１０に圧着する際に加えたかしめ押圧の力がレンズ２０４の前面２０５に伝わることがなく、レンズ内部に応力の残存もない。さらに、レンズ保持枠２０１を介して後面２０６に伝わるかしめ押圧の力は、かしめ押圧部２０９とレンズ受け部２０２とが接近しているため、てこの原理により弱まる。
【００３２】
さらに、本実施形態では、レンズ受け部２０２とこれに受け止められるレンズ２０４の面も共にレンズ２０４の光軸２１４に垂直な平面となっている。このため、レンズ保持枠２０１を介して後面２０６に伝わるかしめ押圧の力は、その接触面積に反比例して小さくなる。その結果、歪によるレンズ面形状の変化はさらに発生しない。
【００３３】
また、レンズ２０４の内部に残存する応力も弱まり、外径による縁の周辺の光学性能に影響しない部分のみに残存し、レンズ２０４内部の光学性能に影響する光が通る範囲内に内部応力が残存することがない。したがって、内部残存応力により発生する複屈折の影響を受けない。
【００３４】
本実施形態では、後面２０６をレンズ受け部２０２で受けているが、前面２０５側で受ける様にし、図２Ａの下側にかしめ押し圧部を設けてもよく、この場合も、同様な効果が得られる。
【００３５】
本実施形態において、レンズの外径より内側かつレンズの面の有効径より外側の位置となる光軸を中心とした円周上に縁を設け、縁から外径までの側面の少なくとも一部をレンズ圧着部とするレンズ加工、また、レンズ圧着部をレンズ光軸側に向けられた傾斜を持たせるレンズ加工、さらに、レンズ保持枠のレンズ受け部で受け止められるレンズの片側の面を、レンズ光軸に垂直な平面にするレンズ加工は、図１１に示されるレンズ加工処理工程の芯取り工程の中で同時に行なうとよい。
【００３６】
芯取り工程は、レンズ研磨、レンズ洗浄を行なった後の工程である。芯取り工程では、レンズ面の偏芯を無くし外径の寸法の精度を良くするため、レンズの光軸を中心に回転させ、レンズの外周部を削る加工を行なう。上記のレンズ加工を芯取り工程の中で同時に行なうことにより、光軸を中心にした位置決め、前面ないし後面の面頂からの位置決めが容易になり、加工精度が向上する。また、芯取り工程と同時に行なうことで、レンズを加工治具、加工機に取り付け直す必要がない。
【００３７】
第三実施形態
本実施形態は、前面後面とも凸面のレンズのレンズ保持枠への固定保持に向けられている。図３Ａは、本発明の第三実施形態においてレンズ保持枠にレンズが固定保持された状態の断面を示し、図３Ｂは、本発明の第三実施形態においてレンズ保持枠にレンズが固定保持される前の状態の断面を示している。
【００３８】
本実施形態では、レンズ３０４に対して、レンズ３０４の外径より内側かつレンズ３０４の前面３０５の有効径より外側の位置となるレンズ光軸を中心とした円周上に新たに縁３０８を設ける。つまり、レンズ３０４の外径による縁３０７よりも一回り小さい小径の縁３０８を設ける。新たに設けた縁３０８から外径までの側面の少なくとも一部を新たなレンズ圧着部３１０としている。より詳しくは、縁３０８から外径までの側面をレンズ圧着部３１０としている。つまり、レンズ３０４の外周にレンズ圧着部３１０を設けている。レンズ加工および圧着の容易性から縁３０８はレンズ光軸側に向けられた傾斜を持っている方が良い。傾斜を持たせることで圧着が容易になる。（加圧力を小さくでき、短時間でできる。）
レンズ圧着部３１０は、レンズ光軸側に向けられた傾斜を持っている。つまり、レンズ圧着部３１０はレンズの光軸３１４に対して傾斜しており、さらにレンズ圧着部３１０に立てた法線は外側を向いている。レンズ圧着部３１０は、レンズの光軸３１４に直交していてもよい。
【００３９】
レンズ保持枠３０１は、レンズ３０４を落とし込むためのレンズ落とし込み孔３０３と、レンズ３０４の後面３０６を受けるレンズ受け部３０２と、レンズ圧着部３１０に圧着されるかしめ押圧部３０９を有している。
【００４０】
レンズ３０４のレンズ保持枠３０１への固定保持は次のように行なう。レンズ３０４をレンズ保持枠３０１のレンズ落とし込み孔３０３に落とし込み、レンズ３０４の片側をレンズ保持枠３０１のレンズ受け部３０２で受け止める。レンズ保持枠３０１に設けたかしめ押圧部３０９に右斜め上方向から力を加え、かしめ押圧部３０９を変形させてレンズ３０４に設けたレンズ圧着部３１０に圧着させる。その結果、レンズ３０４がかしめによりレンズ保持枠３０１に固定保持される。
【００４１】
かしめ押圧部３０９は変形し易くするため、薄く加工されている。レンズ圧着部が傾斜していることと、かしめ押圧部を薄く加工していることにより、レンズ保持枠３０１に設けたかしめ押圧部３０９を変形させレンズ３０４側に設けたレンズ圧着部３１０に圧着させるために、かしめ押圧部３０９に加える力が小さくてよく、容易に変形できるため、短時間で、かしめ押圧部３０９をレンズ圧着部３１０に圧着することができる。
【００４２】
さらに、レンズ保持枠３０１に設けたかしめ押圧部３０９とレンズ３０４側に設けたレンズ圧着部３１０の位置をレンズ３０４の前面３０５より遠ざけた別の面にしている。つまり、レンズ３０４の外径による縁３０７とレンズ保持枠３０１の接する範囲が小さい。レンズ保持枠３０１に設けたかしめ押圧部３０９に右斜め上方向から力を加え、かしめ押圧部３０９を変形させてレンズ圧着部３１０に圧着する際に、レンズ３０４の前面３０５にかしめ押圧の力が伝わることがない。またさらに、レンズ３０４の前面３０５にかしめ押圧の力がレンズ受け部３０２を作用点としてレンズ保持枠３０１を介して後面３０６に伝わるが、力点となるかしめ押圧部と作用点となるレンズ受け部３０２とが接近しているため、てこの原理による後面３０６に伝わる力が弱まる。レンズ３０４の前面３０５および後面３０６はかしめ押圧の力がレンズ３０４に伝わらず、歪によるレンズ面形状の変化は発生しない。
【００４３】
レンズ３０４の内部に残存する応力も弱まり、外径による縁の周辺の光学性能に影響しない部分のみに残存し、レンズ３０４内部の光学性能に影響する光が通る範囲内に内部応力が残存することがない。したがって、内部残存応力により発生する複屈折の影響を受けない。
【００４４】
本実施形態において、レンズの外径より内側かつレンズの面の有効径より外側の位置となる光軸を中心とした円周上に縁を設け、縁から外径までの側面の少なくとも一部をレンズ圧着部とするレンズ加工、また、レンズ圧着部をレンズ光軸側に向けられた傾斜を持たせるレンズ加工は、図１１に示されるレンズ加工処理工程の芯取り工程の中で同時に行なうとよい。
【００４５】
芯取り工程は、レンズ研磨、レンズ洗浄を行なった後の工程である。芯取り工程では、レンズ面の偏芯を無くし外径の寸法の精度を良くするため、レンズの光軸を中心に回転させ、レンズの外周部を削る加工を行なう。上記のレンズ加工を芯取り工程の中で同時に行なうことにより、光軸を中心にした位置決め、前面ないし後面の面頂からの位置決めが容易になり、加工精度が向上する。また、芯取り工程と同時に行なうことで、レンズを加工治具、加工機に取り付け直す必要がない。
【００４６】
第四実施形態
本実施形態は、第三実施形態と同様に、前面後面とも凸面のレンズのレンズ保持枠への固定保持に向けられている。言い換えれば、本実施形態では、第三実施形態の変形に向けられている。図４Ａは、本発明の第四実施形態においてレンズ保持枠にレンズが固定保持された状態の断面を示し、図４Ｂは、本発明の第四実施形態においてレンズ保持枠にレンズが固定保持される前の状態の断面を示している。
【００４７】
本実施形態では、レンズ４０４に対して、レンズ４０４の外径より内側かつレンズ４０４の前面４０５の有効径より外側の位置となるレンズ光軸を中心とした円周上に新たに縁４０８を設ける。つまり、レンズ４０４の外径による縁４０７よりも一回り小さい小径の縁４０８を設ける。縁４０８から外径までの側面の少なくとも一部をレンズ圧着部４１０としている。より詳しくは、縁４０８から外径までの側面をレンズ圧着部４１０としている。つまり、レンズ４０４の外周にレンズ圧着部４１０を設けている。レンズ加工および圧着の容易性から新たに設けた縁４０８はレンズ光軸側に向けられた傾斜を持っている方が良い。傾斜を持たせることで圧着が容易になる。（加圧力を小さくでき、短時間でできる。）
レンズ保持枠４０１は、レンズ４０４を落とし込むためのレンズ落とし込み孔４０３と、レンズ４０４の後面４０６を受けるレンズ受け部４０２と、レンズ圧着部４１０に圧着されるかしめ押圧部４０９を有している。
【００４８】
本実施形態では、レンズ受け部４０２は、レンズ４０４の光軸４１４に垂直な平面となっている。また、レンズ受け部４０２で受け止められるレンズ４０４の面も、レンズ４０４の光軸４１４に垂直な平面となっている。
【００４９】
レンズ４０４のレンズ保持枠４０１への固定保持は次のように行なう。レンズ４０４をレンズ保持枠４０１のレンズ落とし込み孔４０３に落とし込み、レンズ４０４の片側をレンズ保持枠４０１のレンズ受け部４０２で受け止める。レンズ保持枠４０１に設けたかしめ押圧部４０９に右斜め上方向から力を加え、かしめ押圧部４０９を変形させてレンズ４０４に設けたレンズ圧着部４１０に圧着させる。その結果、レンズ４０４がかしめによりレンズ保持枠４０１に固定保持される。
【００５０】
かしめ押圧部４０９は、第三実施形態と同様、薄く加工されている。このため、かしめ押圧部４０９を変形させてレンズ圧着部４１０に圧着させる際に、かしめ押圧部４０９に加える力が小さくてよい。レンズ圧着部が傾斜していることと、かしめ押圧部を薄く加工していることにより、かしめ押圧部４０９をレンズ圧着部４１０に短時間で圧着することができる。
【００５１】
レンズ圧着部４１０は、第三実施形態と同様、レンズ４０４の外周に位置している。従って、レンズ４０４の外径による縁４０７とレンズ保持枠４０１の接する範囲が小さい。このため、かしめ押圧部４０９を変形させてレンズ圧着部４１０に圧着する際に加えたかしめ押圧の力がレンズ４０４の前面４０５に伝わることがなく、レンズ内部に応力の残存もない。さらに、レンズ保持枠４０１を介して後面４０６に伝わるかしめ押圧の力は、かしめ押圧部４０９とレンズ受け部４０２とが接近しているため、てこの原理により弱まる。
【００５２】
さらに、本実施形態では、レンズ受け部４０２とこれに受け止められるレンズ４０４の面も共にレンズ４０４の光軸４１４に垂直な平面となっている。このため、レンズ保持枠４０１を介して後面４０６に伝わるかしめ押圧の力は、その接触面積に反比例して小さくなる。その結果、歪によるレンズ面形状の変化はさらに発生しない。
【００５３】
また、レンズ４０４の内部に残存する応力も弱まり、外径による縁の周辺の光学性能に影響しない部分のみに残存し、レンズ４０４内部の光学性能に影響する光が通る範囲内に内部応力が残存することがない。したがって、内部残存応力により発生する複屈折の影響を受けない。
【００５４】
本実施形態では、後面４０６をレンズ受け部４０２で受けているが、前面４０５側で受ける様にし、図４Ａの下側にかしめ押し圧部を設けてもよく、この場合も、同様な効果が得られる。
【００５５】
本実施形態において、レンズの外径より内側かつレンズの面の有効径より外側の位置となる光軸を中心とした円周上に縁を設け、縁から外径までの側面の少なくとも一部をレンズ圧着部とするレンズ加工、また、レンズ圧着部をレンズ光軸側に向けられた傾斜を持たせるレンズ加工、さらに、レンズ保持枠のレンズ受け部で受け止められるレンズの片側の面を、レンズ光軸に垂直な平面にするレンズ加工は、図１１に示されるレンズ加工処理工程の芯取り工程の中で同時に行なうとよい。
【００５６】
芯取り工程は、レンズ研磨、レンズ洗浄を行なった後の工程である。芯取り工程では、レンズ面の偏芯を無くし外径の寸法の精度を良くするため、レンズの光軸を中心に回転させ、レンズの外周部を削る加工を行なう。上記のレンズ加工を芯取り工程の中で同時に行なうことにより、光軸を中心にした位置決め、前面ないし後面の面頂からの位置決めが容易になり、加工精度が向上する。また、芯取り工程と同時に行なうことで、レンズを加工治具、加工機に取り付け直す必要がない。
【００５７】
第五実施形態
図５Ａは、本発明の第五実施形態においてレンズ保持枠にレンズが固定保持された状態の断面を示し、図５Ｂは、本発明の第五実施形態においてレンズ保持枠にレンズが固定保持される前の状態の断面を示している。
【００５８】
本実施形態は、かしめ押圧部５０９およびレンズ圧着部５１０側のレンズ外径による縁５０７とレンズ保持枠５０１の間にスペース５１１を設けたことを特徴とする。
【００５９】
本実施形態では、レンズ５０４は、レンズ５０４の外径より内側かつレンズ５０４の前面５０５の有効径より外側に平坦な部分を有している。この平坦な部分をレンズ圧着部５１０としている。
【００６０】
レンズ保持枠５０１は、レンズ５０４を落とし込むためのレンズ落とし込み孔５０３と、レンズ５０４の後面５０６を受けるレンズ受け部５０２と、レンズ圧着部５１０に圧着されるかしめ押圧部５０９を有している。
【００６１】
かしめ押圧部５０９の内径は、レンズ保持枠５０１の内径よりも大きく、したがって、レンズ５０４の外径よりも大きくなっている。このため、レンズ５０４がレンズ保持枠５０１のレンズ落とし込み孔５０３に落とし込まれた際、レンズ５０４の縁５０７とかしめ押圧部５０９との間に隙間すなわちスペース５１１が形成される。
【００６２】
レンズ５０４のレンズ保持枠５０１への固定保持は次のように行なう。レンズ５０４をレンズ保持枠５０１のレンズ落とし込み孔５０３に落とし込み、レンズ５０４の片側をレンズ保持枠５０１のレンズ受け部５０２で受け止める。レンズ保持枠５０１に設けたかしめ押圧部５０９に右斜め上方向から力を加え、かしめ押圧部５０９を変形させてレンズ５０４に設けたレンズ圧着部５１０に圧着させる。その結果、レンズ５０４がかしめによりレンズ保持枠５０１に固定保持される。
【００６３】
かしめ押圧部５０９は、第一実施形態と同様、薄く加工されている。このため、かしめ押圧部５０９を変形させてレンズ圧着部５１０に圧着させる際に、かしめ押圧部５０９に加える力が小さくてよい。レンズ圧着部が傾斜していることと、かしめ押圧部を薄く加工していることにより、かしめ押圧部５０９をレンズ圧着部５１０に短時間で圧着することができる。
【００６４】
本実施形態では、レンズ５０４側の外径による縁５０７とレンズ保持枠５０１の接する範囲が小さいため、かしめ押圧部５０９に右斜め上方向から力を加え、かしめ押圧部５０９を変形させてレンズ圧着部５１０に圧着する際に、レンズ５０４に伝わるかしめ押圧の力をより小さくできる。また、レンズ５０４の内部に残存する内部応力も弱まり、さらに内部応力が残存する範囲は、よりレンズ受け部５０２に近い外径による縁の周辺の光学性能に影響しない部分の非常に狭い範囲のみに残存することになる。レンズ５０４内部の光学性能に影響する光が通る範囲内に内部応力が残存することがない。
【００６５】
第六実施形態
図６Ａは、本発明の第六実施形態においてレンズ保持枠にレンズが固定保持された状態の断面を示し、図６Ｂは、本発明の第六実施形態においてレンズ保持枠にレンズが固定保持される前の状態の断面を示している。
【００６６】
本実施形態は、基本的に、第二実施形態と第五実施形態の組み合わせに向けられている。すなわち、本実施形態では、かしめ押圧部６０９およびレンズ圧着部６１０側のレンズ外径による縁６０７とレンズ保持枠６０１の間にスペース６１１を設けている。
【００６７】
レンズ６０４に対して、レンズ６０４の外径より内側かつレンズ６０４の前面６０５の有効径より外側の位置となるレンズ光軸を中心とした円周上に新たに縁６０８を設ける。つまり、レンズ６０４の外径による縁６０７よりも一回り小さい小径の縁６０８を設ける。縁６０８から外径までの側面の少なくとも一部をレンズ圧着部６１０としている。より詳しくは、縁６０８から外径までの側面をレンズ圧着部６１０としている。つまり、レンズ６０４の外周にレンズ圧着部６１０を設けている。レンズ加工および圧着の容易性から新たに設けた縁６０８はレンズ光軸側に向けられた傾斜を持っている方が良い。傾斜を持たせることで圧着が容易になる。（加圧力を小さくでき、短時間でできる。）
レンズ圧着部６１０は、レンズの光軸６１４側に向けられた傾斜を持っている。つまり、レンズ圧着部６１０はレンズの光軸６１４に対して傾斜しており、さらにレンズ圧着部６１０に立てた法線は外側を向いている。
【００６８】
レンズ保持枠６０１は、レンズ６０４を落とし込むためのレンズ落とし込み孔６０３と、レンズ６０４の後面６０６を受けるレンズ受け部６０２と、レンズ圧着部６１０に圧着されるかしめ押圧部６０９を有している。
【００６９】
レンズ受け部６０２は、レンズ６０４の光軸６１４に垂直な平面となっている。また、レンズ受け部６０２で受け止められるレンズ６０４の面も、レンズ６０４の光軸６１４に垂直な平面となっている。
【００７０】
かしめ押圧部６０９の内径は、レンズ保持枠６０１の内径よりも大きく、したがって、レンズ６０４の外径よりも大きくなっている。このため、レンズ６０４がレンズ保持枠６０１のレンズ落とし込み孔６０３に落とし込まれた際、レンズ６０４の縁６０７とかしめ押圧部６０９との間に隙間すなわちスペース６１１が形成される。
【００７１】
レンズ６０４のレンズ保持枠６０１への固定保持は次のように行なう。レンズ６０４をレンズ保持枠６０１のレンズ落とし込み孔６０３に落とし込み、レンズ６０４の片側をレンズ保持枠６０１のレンズ受け部６０２で受け止める。レンズ保持枠６０１に設けたかしめ押圧部６０９に右斜め上方向から力を加え、かしめ押圧部６０９を変形させてレンズ６０４に設けたレンズ圧着部６１０に圧着させる。その結果、レンズ６０４がかしめによりレンズ保持枠６０１に固定保持される。
【００７２】
かしめ押圧部６０９は、第一実施形態と同様、薄く加工されている。このため、かしめ押圧部６０９を変形させてレンズ圧着部６１０に圧着させる際に、かしめ押圧部６０９に加える力が小さくてよい。レンズ圧着部が傾斜していることと、かしめ押圧部を薄く加工していることにより、かしめ押圧部６０９をレンズ圧着部６１０に短時間で圧着することができる。
【００７３】
本実施形態では、レンズ６０４側の外径による縁６０７とレンズ保持枠６０１の接する範囲が小さいため、かしめ押圧部６０９に右斜め上方向から力を加え、かしめ押圧部６０９を変形させてレンズ圧着部６１０に圧着する際に、レンズ６０４に伝わるかしめ押圧の力をより小さくできる。また、６０４の内部に残存する内部応力も弱まり、さらに内部応力が残存する範囲は、よりレンズ受け部６０２に近い外径による縁の周辺の光学性能に影響しない部分の非常に狭い範囲のみに残存することになる。レンズ６０４内部の光学性能に影響する光が通る範囲内に内部応力が残存することがない。
【００７４】
本実施形態において、レンズの外径より内側かつレンズの面の有効径より外側の位置となる光軸を中心とした円周上に縁を設け、縁から外径までの側面の少なくとも一部をレンズ圧着部とするレンズ加工、また、レンズ圧着部をレンズ光軸側に向けられた傾斜を持たせるレンズ加工、さらに、レンズ保持枠のレンズ受け部で受け止められるレンズの片側の面を、レンズ光軸に垂直な平面にするレンズ加工は、図１１に示されるレンズ加工処理工程の芯取り工程の中で同時に行なうとよい。
【００７５】
芯取り工程は、レンズ研磨、レンズ洗浄を行なった後の工程である。芯取り工程では、レンズ面の偏芯を無くし外径の寸法の精度を良くするため、レンズの光軸を中心に回転させ、レンズの外周部を削る加工を行なう。上記のレンズ加工を芯取り工程の中で同時に行なうことにより、光軸を中心にした位置決め、前面ないし後面の面頂からの位置決めが容易になり、加工精度が向上する。また、芯取り工程と同時に行なうことで、レンズを加工治具、加工機に取り付け直す必要がない。
【００７６】
第七実施形態
図７Ａは、本発明の第七実施形態においてレンズ保持枠にレンズが固定保持された状態の断面を示し、図７Ｂは、本発明の第七実施形態においてレンズ保持枠にレンズが固定保持される前の状態の断面を示している。
【００７７】
本実施形態では、レンズ７０４に対して、レンズ７０４の外径による縁７０７の外周に新たに溝部７１３を設け、溝の側面の少なくとも一部をレンズ圧着部７１０としている。より詳しくは、溝部７１３の片側の側面をレンズ圧着部７１０としている。溝部７１３には、面取り部を設けてもよい。その場合には、面取り部をレンズ圧着部７１０とする。つまり、前述の「溝の側面の少なくとも一部」は、ここでは、溝部７１３の側面の全体であるが、外径の面取り部がある場合には、面取り部である。
【００７８】
レンズ圧着部７１０は、レンズ光軸側に向けられた傾斜を持っている。つまり、レンズ圧着部７１０はレンズの光軸７１４に対して傾斜しており、さらにレンズ圧着部７１０に立てた法線は外側を向いている。レンズ圧着部７１０は、レンズの光軸７１４に直交していてもよい。レンズ加工および圧着の容易性から溝部７１３の側面はレンズ光軸側に向けられた傾斜を持っている方が良い。傾斜を持たせることで圧着が容易になる。（加圧力を小さくでき、短時間でできる。）
レンズ保持枠７０１は、レンズ７０４を落とし込むためのレンズ落とし込み孔７０３と、レンズ７０４の後面７０６を受けるレンズ受け部７０２と、レンズ圧着部７１０に圧着されるかしめ押圧部７０９を有している。
【００７９】
レンズ受け部７０２は、レンズ７０４の光軸７１４に垂直な平面となっている。また、レンズ受け部７０２で受け止められるレンズ７０４の面も、レンズ７０４の光軸７１４に垂直な平面となっている。
【００８０】
レンズ７０４のレンズ保持枠７０１への固定保持は次のように行なう。レンズ７０４をレンズ保持枠７０１のレンズ落とし込み孔７０３に落とし込み、レンズ７０４の片側をレンズ保持枠７０１のレンズ受け部７０２で受け止める。レンズ保持枠７０１に設けたかしめ押圧部７０９に右斜め上方向から力を加え、かしめ押圧部７０９を変形させてレンズ７０４に設けたレンズ圧着部７１０に圧着させる。その結果、レンズ７０４がかしめによりレンズ保持枠７０１に固定保持される。
【００８１】
かしめ押圧部７０９は、第一実施形態と同様、薄く加工されている。このため、かしめ押圧部７０９を変形させてレンズ圧着部７１０に圧着させる際に、かしめ押圧部７０９に加える力が小さくてよい。レンズ圧着部が傾斜していることと、かしめ押圧部を薄く加工していることにより、かしめ押圧部７０９をレンズ圧着部７１０に短時間で圧着することができる。
【００８２】
本実施形態においても、レンズ７０４の外径による７５０７とレンズ保持枠７０１の接する範囲が小さいため、かしめ押圧部７０９に右斜め上方向から力を加え、かしめ押圧部７０９を変形させてレンズ圧着部７１０に圧着する際に、レンズ７０４に伝わるかしめ押圧の力をより小さくできる。その結果、レンズ７０４の前面７０５および後面７０６はかしめ押圧の力がレンズ７０４に伝わらず、歪によるレンズ面形状の変化は発生しない。また、内部残存応力も、溝部７１３より右側の外径による縁の周辺のみに残存し、レンズ７０４内部の光学性能に影響する光が通る範囲内に内部応力が残存することがない。
【００８３】
溝部７１３の加工は、第一実施形態の縁１０８や第二実施形態の縁２０８や第三実施形態の縁３０８や第四実施形態の縁４０８の加工よりも容易に行なえるため、加工時間が短縮でき有効である。
【００８４】
本実施形態において、レンズ外周の縁に溝を設け、溝の側面の少なくとも一部をレンズ圧着部とするレンズ加工、また、レンズ圧着部をレンズ光軸側に向けられた傾斜を持たせるレンズ加工、さらに、レンズ保持枠のレンズ受け部で受け止められるレンズの片側の面を、レンズ光軸に垂直な平面にするレンズ加工は、図１１に示されるレンズ加工処理工程の芯取り工程の中で同時に行なうとよい。
【００８５】
芯取り工程は、レンズ研磨、レンズ洗浄を行なった後の工程である。芯取り工程では、レンズ面の偏芯を無くし外径の寸法の精度を良くするため、レンズの光軸を中心に回転させ、レンズの外周部を削る加工を行なう。上記のレンズ加工を芯取り工程の中で同時に行なうことにより、光軸を中心にした位置決め、前面ないし後面の面頂からの位置決めが容易になり、加工精度が向上する。また、芯取り工程と同時に行なうことで、レンズを加工治具、加工機に取り付け直す必要がない。
【００８６】
第八実施形態
本実施形態は、第七実施形態の変形に向けられている。図８Ａは、本発明の第八実施形態においてレンズ保持枠にレンズが固定保持された状態の断面を示し、図８Ｂは、本発明の第八実施形態においてレンズ保持枠にレンズが固定保持される前の状態の断面を示している。本実施形態は、基本的に、第五実施形態と第七実施形態の組み合わせに向けられている。
【００８７】
本実施形態では、レンズ８０４に対して、レンズ８０４の外径による縁８０７の外周に新たに溝部８１３を設け、溝の側面の少なくとも一部をレンズ圧着部８１０としている。より詳しくは、溝部８１３の片側の側面をレンズ圧着部８１０としている。溝部８１３には、面取り部を設けてもよい。その場合には、面取り部をレンズ圧着部８１０とする。
【００８８】
レンズ圧着部８１０は、レンズ光軸側に向けられた傾斜を持っている。つまり、レンズ圧着部８１０はレンズの光軸８１４に対して傾斜しており、さらにレンズ圧着部８１０に立てた法線は外側を向いている。レンズ圧着部８１０は、レンズの光軸８１４に直交していてもよい。
【００８９】
レンズ保持枠８０１は、レンズ８０４を落とし込むためのレンズ落とし込み孔８０３と、レンズ８０４の後面８０６を受けるレンズ受け部８０２と、レンズ圧着部８１０に圧着されるかしめ押圧部８０９を有している。
【００９０】
レンズ受け部８０２は、レンズ８０４の光軸８１４に垂直な平面となっている。また、レンズ受け部８０２で受け止められるレンズ８０４の面も、レンズ８０４の光軸８１４に垂直な平面となっている。
【００９１】
かしめ押圧部８０９の内径は、レンズ保持枠８０１の内径よりも大きく、したがって、レンズ８０４の外径よりも大きくなっている。このため、レンズ８０４がレンズ保持枠８０１のレンズ落とし込み孔８０３に落とし込まれた際、レンズ８０４の縁８０７とかしめ押圧部８０９との間に隙間すなわちスペース８１１が形成される。
【００９２】
レンズ８０４のレンズ保持枠８０１への固定保持は次のように行なう。レンズ８０４をレンズ保持枠８０１のレンズ落とし込み孔８０３に落とし込み、レンズ８０４の片側をレンズ保持枠８０１のレンズ受け部８０２で受け止める。レンズ保持枠８０１に設けたかしめ押圧部８０９に右斜め上方向から力を加え、かしめ押圧部８０９を変形させてレンズ８０４に設けたレンズ圧着部８１０に圧着させる。その結果、レンズ８０４がかしめによりレンズ保持枠８０１に固定保持される。
【００９３】
かしめ押圧部８０９は、第一実施形態と同様、薄く加工されている。このため、かしめ押圧部８０９を変形させてレンズ圧着部８１０に圧着させる際に、かしめ押圧部８０９に加える力が小さくてよい。レンズ圧着部が傾斜していることと、かしめ押圧部を薄く加工していることにより、かしめ押圧部８０９をレンズ圧着部８１０に短時間で圧着することができる。
【００９４】
本実施形態においても、レンズ８０４の外径による８５０とレンズ保持枠８０１の接する範囲が、第七実施形態と比較して更に小さい。このため、かしめ押圧部８０９に右斜め上方向から力を加え、かしめ押圧部８０９を変形させてレンズ圧着部８１０に圧着する際に、レンズ８０４に伝わるかしめ押圧の力を更に小さくできる。その結果、レンズ８０４の前面８０５および後面８０６はかしめ押圧の力がレンズ８０４に伝わらず、歪によるレンズ面形状の変化は発生しない。また、８０４の内部に残存する内部応力も弱まり、さらに内部応力が残存する範囲は、よりレンズ受け部８０２に近い外径による縁の周辺の光学性能に影響しない部分の非常に狭い範囲のみに残存することになる。レンズ８０４内部の光学性能に影響する光が通る範囲内に内部応力が残存することがない。
【００９５】
溝部８１３の加工は、第一実施形態の縁１０８や第二実施形態の縁２０８や第三実施形態の縁３０８や第四実施形態の縁４０８の加工よりも容易に行なえるため、加工時間が短縮でき有効である。
【００９６】
本実施形態において、レンズ外周の縁に溝を設け、溝の側面の少なくとも一部をレンズ圧着部とするレンズ加工、また、レンズ圧着部をレンズ光軸側に向けられた傾斜を持たせるレンズ加工、さらに、レンズ保持枠のレンズ受け部で受け止められるレンズの片側の面を、レンズ光軸に垂直な平面にするレンズ加工は、図１１に示されるレンズ加工処理工程の芯取り工程の中で同時に行なうとよい。
【００９７】
芯取り工程は、レンズ研磨、レンズ洗浄を行なった後の工程である。芯取り工程では、レンズ面の偏芯を無くし外径の寸法の精度を良くするため、レンズの光軸を中心に回転させ、レンズの外周部を削る加工を行なう。上記のレンズ加工を芯取り工程の中で同時に行なうことにより、光軸を中心にした位置決め、前面ないし後面の面頂からの位置決めが容易になり、加工精度が向上する。また、芯取り工程と同時に行なうことで、レンズを加工治具、加工機に取り付け直す必要がない。
【００９８】
さらに、上述した実施形態におけるレンズの材質は、例えば、硝子、プラスチックなどであるが、レンズの材質は、これに限定されるものではなく、いかなる光学材料にも本発明は適用可能である。
【００９９】
これまで、図面を参照しながら本発明の実施の形態を述べたが、本発明は、これらの実施の形態に限定されるものではなく、その要旨を逸脱しない範囲において様々な変形や変更が施されてもよい。
【図面の簡単な説明】
【０１００】
【図１Ａ】本発明の第一実施形態においてレンズ保持枠にレンズが固定保持された状態の断面を示している。
【図１Ｂ】本発明の第一実施形態においてレンズ保持枠にレンズが固定保持される前の状態の断面を示している。
【図２Ａ】本発明の第二実施形態においてレンズ保持枠にレンズが固定保持された状態の断面を示している。
【図２Ｂ】本発明の第二実施形態においてレンズ保持枠にレンズが固定保持される前の状態の断面を示している。
【図３Ａ】本発明の第三実施形態においてレンズ保持枠にレンズが固定保持された状態の断面を示している。
【図３Ｂ】本発明の第三実施形態においてレンズ保持枠にレンズが固定保持される前の状態の断面を示している。
【図４Ａ】本発明の第四実施形態においてレンズ保持枠にレンズが固定保持された状態の断面を示している。
【図４Ｂ】本発明の第四実施形態においてレンズ保持枠にレンズが固定保持される前の状態の断面を示している。
【図５Ａ】本発明の第五実施形態においてレンズ保持枠にレンズが固定保持された状態の断面を示している。
【図５Ｂ】本発明の第五実施形態においてレンズ保持枠にレンズが固定保持される前の状態の断面を示している。
【図６Ａ】本発明の第六実施形態においてレンズ保持枠にレンズが固定保持された状態の断面を示している。
【図６Ｂ】本発明の第六実施形態においてレンズ保持枠にレンズが固定保持される前の状態の断面を示している。
【図７Ａ】本発明の第七実施形態においてレンズ保持枠にレンズが固定保持された状態の断面を示している。
【図７Ｂ】本発明の第七実施形態においてレンズ保持枠にレンズが固定保持される前の状態の断面を示している。
【図８Ａ】本発明の第八実施形態においてレンズ保持枠にレンズが固定保持された状態の断面を示している。
【図８Ｂ】本発明の第八実施形態においてレンズ保持枠にレンズが固定保持される前の状態の断面を示している。
【図９】従来例の接着によるレンズ固定保持方法においてレンズ保持枠にレンズが固定保持された状態の断面を示している。
【図１０Ａ】従来例のかしめによるレンズ固定保持方法においてレンズ保持枠にレンズが固定保持された状態の断面を示している。
【図１０Ｂ】従来例のかしめによるレンズ固定保持方法においてレンズ保持枠にレンズが固定保持される前の状態の断面を示している。
【図１１】レンズ加工処理工程の流れを示している。
【符号の説明】
【０１０１】
１０１…レンズ保持枠、１０２…レンズ受け部、１０３…レンズ落とし込み孔、１０４…レンズ、１０５…前面、１０６…後面、１０７…縁、１０８…縁、１０９…かしめ押圧部、１１０…レンズ圧着部、１１４…光軸、２０１…レンズ保持枠、２０２…レンズ受け部、２０３…レンズ落とし込み孔、２０４…レンズ、２０５…前面、２０６…後面、２０７…縁、２０８…縁、２０９…かしめ押圧部、２１０…レンズ圧着部、２１４…光軸、２１５…平面部分、２１６…面取り部、３０１…レンズ保持枠、３０２…レンズ受け部、３０３…レンズ落とし込み孔、３０４…レンズ、３０５…前面、３０６…後面、３０７…縁、３０８…縁、３０９…かしめ押圧部、３１０…レンズ圧着部、３１４…光軸、４０１…レンズ保持枠、４０２…レンズ受け部、４０３…レンズ落とし込み孔、４０４…レンズ、４０５…前面、４０６…後面、４０７…縁、４０８…縁、４０９…かしめ押圧部、４１０…レンズ圧着部、４１４…光軸、５０１…レンズ保持枠、５０２…レンズ受け部、５０３…レンズ落とし込み孔、５０４…レンズ、５０５…前面、５０６…後面、５０７…縁、５０９…かしめ押圧部、５１０…レンズ圧着部、５１１…スペース、６０１…レンズ保持枠、６０２…レンズ受け部、６０３…レンズ落とし込み孔、６０４…レンズ、６０５…前面、６０６…後面、６０７…縁、６０８…縁、６０９…かしめ押圧部、６１０…レンズ圧着部、６１１…スペース、６１４…光軸、７０１…レンズ保持枠、７０２…レンズ受け部、７０３…レンズ落とし込み孔、７０４…レンズ、７０５…前面、７０６…後面、７０７…縁、７０９…かしめ押圧部、７１０…レンズ圧着部、７１３…溝部、７１４…光軸、８０１…レンズ保持枠、８０２…レンズ受け部、８０３…レンズ落とし込み孔、８０４…レンズ、８０５…前面、８０６…後面、８０７…縁、８０９…かしめ押圧部、８１０…レンズ圧着部、８１１…スペース、８１３…溝部、８１４…光軸。
【図１Ａ】
2005107214.tif 000003
【図１Ｂ】
2005107214.tif 000004
【図２Ａ】
2005107214.tif 000005
【図２Ｂ】
2005107214.tif 000006
【図３Ａ】
2005107214.tif 000007
【図３Ｂ】
2005107214.tif 000008
【図４Ａ】
2005107214.tif 000009
【図４Ｂ】
2005107214.tif 000010
【図５Ａ】
2005107214.tif 000011
【図５Ｂ】
2005107214.tif 000012
【図６Ａ】
2005107214.tif 000013
【図６Ｂ】
2005107214.tif 000014
【図７Ａ】
2005107214.tif 000015
【図７Ｂ】
2005107214.tif 000016
【図８Ａ】
2005107214.tif 000017
【図８Ｂ】
2005107214.tif 000018
【図９】
2005107214.tif 000019
【図１０Ａ】
2005107214.tif 000020
【図１０Ｂ】
2005107214.tif 000021
【図１１】
2005107214.tif 000022